(57)【要約】【課題】起動時において、起動運転の対象とするブロックの出力をできるだけ確保し、速く暖まらず使用者が不快に感じてしまうのが抑制される床暖房システムを提供する。【解決手段】床の暖房領域が、それぞれ電気ヒータ２と人検知手段３とが設けられるｍ行ｎ列のブロック１に分割され、各ブロック１は制御上、第１組〜第ｍ組のいずれかの組の第１番〜第ｎ番のいずれかに設定手段により任意に設定され、ブロック１毎に暖房を行う床暖房システムである。第ｘ組用の人検知信号の入力ポート６ｘおよび給電ＯＮ／ＯＦＦの制御信号の出力ポート７ｘがｍ個ずつと、第ｙ番用のタイミング信号の出力ポート８ｙがｎ個設けられ、マトリックス制御が行われる。制御部は、第ｙ番のブロック１の起動運転を行う場合、第ｙターンの時間幅を所定時間Ｔから所定時間Ｔ１（但し、Ｔ１＞Ｔ）に変更する。【選択図】図１
2014020614.tif 000002
【特許請求の範囲】
【請求項１】
床の暖房領域が複数のブロックに分割され、前記各ブロックに、電気ヒータと、人の有無により二端子間の導通の有無が生じることで人の有無を検知する人検知手段とが設けられ、前記ブロック毎に人の検知に基いて暖房を行うように制御部により制御される床暖房システムであって、
前記暖房領域はｍ行ｎ列のｍ×ｎ個の前記ブロックに分割され、ｍ×ｎ個の前記ブロックはそれぞれ、一組ｎ個の第１組〜第ｍ組のいずれかの組に分類されるとともに各組において第１番〜第ｎ番のいずれかに重複なく分類され、
第ｘ組（但し、ｘ＝１、２、・・・、ｍ）の前記ブロック用の給電のＯＮ／ＯＦＦを切り替える給電ＯＮ／ＯＦＦ切替部をｍ個備え、
電源が、第ｘ組の前記ブロック用の前記給電ＯＮ／ＯＦＦ切替部を介して、第ｘ組の前記ブロックの前記電気ヒータにそれぞれ給電線により接続され、前記各給電線は、途中に前記各給電線の導通のＯＮ／ＯＦＦを切り替えるＯＮ／ＯＦＦ切替部を備え、
前記制御部は、制御プログラムを実行するための中央演算装置と、入出力インターフェースと、第ｘ組の前記ブロックに設けられた前記人検知手段からの人検知信号の入力ポートｍ個と、第ｘ組の前記ブロック用の前記給電ＯＮ／ＯＦＦ切替部への制御信号の出力ポートｍ個と、第ｙ番（但し、ｙ＝１、２、・・・、ｎ）の前記ブロック用のタイミング信号の出力ポートｎ個と、を備え、
第ｘ組第ｙ番の前記ブロックの前記人検知手段の前記二端子のうちの一方の端子と、第ｙ番の前記ブロック用のタイミング信号の前記出力ポートとが信号線で接続され、前記二端子のうちの他方の端子と、第ｘ組の前記ブロックに設けられた前記人検知手段からの人検知信号の前記入力ポートとが信号線で接続され、
第ｘ組の前記ブロック用の前記給電ＯＮ／ＯＦＦ切替部の入力部と、第ｘ組の前記ブロック用の前記制御信号の前記出力ポートとが信号線で接続され、
第ｘ組第ｙ番の前記ブロックの前記電気ヒータへの前記給電線に設けられた前記ＯＮ／ＯＦＦ切替部への入力部と、第ｙ番の前記ブロック用のタイミング信号の前記出力ポートとが信号線で接続され、
時間０から所定時間Ｔまでの間を、前記制御部が前記第１番の前記ブロック用の前記タイミング信号の前記出力ポートにタイミングＯＮ信号を送信し他の前記タイミング信号の前記出力ポートにタイミングＯＦＦ信号を送信する第１ターンとし、以降、時間（ｙ−１）Ｔ〜ｙＴを、前記制御部が前記第ｘ番の前記ブロック用の前記タイミング信号の前記出力ポートに前記タイミングＯＮ信号を送信し他の前記タイミング信号の前記出力ポートに前記タイミングＯＦＦ信号を送信する第ｙターンとし、第ｎターンの後、第１ターンに戻り、これを繰り返すものとし、
前記制御部は、第ｙ番の前記ブロックの前記電気ヒータに給電を開始する場合、第ｙターンの時間幅を前記所定時間Ｔから所定時間Ｔ１（但し、Ｔ１＞Ｔ）に変更するものであり、
前記各ブロックを第１組〜第ｍ組の任意の組の第１番〜第ｎ番の任意の番に設定可能とする設定手段が設けられることを特徴とする床暖房システム。
【発明の詳細な説明】
【技術分野】
【０００１】
本発明は、床暖房システムに関するものである。
【背景技術】
【０００２】
従来から、図５に示すように、床の暖房領域が複数のブロック１に分割され、図６に示すように、各ブロック１に電気ヒータ２と、該ブロック１の人の有無を検知する人検知手段３が設けられ、ブロック１毎に人の検知に基いて暖房を行うように制御する床暖房システムが知られている（例えば特許文献１参照）。床暖房システムの制御部は、ＣＰＵからなる中央演算装置と、入出力インターフェース、入力ポートＰｉｎ、出力ポートＰｏｕｔを備えている。入力ポートＰｉｎには、人検知手段３からの人検知信号の受信のための信号線Ｌｉｎと、電気ヒータ２の給電ＯＮ／ＯＦＦ切替部５への制御信号の送信のための信号線Ｌｏｕｔとが接続される。図６中の符号４は電源を示す。これら信号線Ｌｉｎと信号線Ｌｏｕｔは、電気ヒータ２と人検知手段３とが各ブロック１に設けられていることから、ブロック１がｎ個の場合には、入力ポートＰｉｎと出力ポートＰｏｕｔは２ｎ個必要となるものであった。そこで、入力ポートＰｉｎおよび出力ポートＰｏｕｔの個数が少なくてすむように、以下のようないわゆるマトリックス制御が行われている。
【０００３】
マトリックス制御では、図７に示すように、暖房領域は、ｍ行ｎ列のｍ×ｎ個のブロック１に分割される。各ブロック１は、制御上、一組ｎ個の第１組〜第ｍ組のいずれかの組に分類され、各組において更に第１番〜第ｎ番のいずれかに重複なく分類されるもので、第ｍ行のブロック１が第ｍ組に分類され、第ｎ列のブロック１が第ｎ番に分類される。制御部は、第ｘ組（ｘ＝１、２、・・・、ｍ）のブロック１用の人検知信号の入力ポート６ｘをｍ個、第ｘ組のブロック１用の給電ＯＮ／ＯＦＦ切替部５への制御信号の出力ポート７ｘをｍ個、第ｙ番（ｙ＝１、２、・・・、ｎ）のブロック１用のタイミング信号の出力ポート８ｙをｎ個、備える。
【０００４】
そして、図２に示すように、時間０から所定時間Ｔまでの間を第１ターンとし、以降、時間（ｙ−１）Ｔ〜ｙＴを第ｙターンとし、第ｎターンの後、第１ターンに戻り、これを繰り返す。制御部は、第ｙターンで、第ｙ番のブロック１用のタイミング信号の出力ポート８ｙにタイミングＯＮ信号を送信し、他の番のブロック１用のタイミング信号の出力ポート８にタイミングＯＦＦ信号を送信する。
【０００５】
この場合、第ｘ組のブロック１用の人検知信号の入力ポート６ｘには、第ｘ組第１番〜第ｘ組第ｎ番のｎ個のブロック１に設けられている人検知手段３からの人検知信号が全て入力されるが、第ｙターンに入力された場合には、第ｙ番のブロック１からの人検知信号であると特定可能である。また、第ｘ組のブロック１用の給電ＯＮ／ＯＦＦ切替部５への制御信号の出力ポート７ｘは、第ｘ組第１番〜第ｘ組第ｎ番のｎ個のブロック１に設けられている給電ＯＮ／ＯＦＦ切替部５全てに制御信号を出力するが、第ｙターンにおいては、第ｙ番のブロック１の電気ヒータ２のみに給電され、特定の番のブロック１の電気ヒータ２のみに給電可能となる。このため、マトリックス制御では、入力ポートおよび出力ポートはｍ＋ｍ＋ｎ（＝２ｍ＋ｎ）個となり、従来必要であった２ｍｎ個よりも少ない個数で足りる。
【先行技術文献】
【特許文献】
【０００６】
【特許文献１】特開平５−３４７１７８号公報
【発明の概要】
【発明が解決しようとする課題】
【０００７】
マトリックス制御を行う上記従来の床暖房システムにあっては、図２に示すように、制御信号は、タイミング信号と同期させて出力を行っている。すなわち、タイミング信号は、第ｙターンの開始から終了までの全長に亘って出力ポート８ｙから送信され、制御信号も第ｙターンの開始から終了までの全長に亘って出力ポート７ｘから送信されている。
【０００８】
例えば第ｘ組第ｙ番のブロック１の電気ヒータ２に給電する場合、図２に示すように、全ての第ｙターンにおいて出力ポート７ｘから給電ＯＮの制御信号を送信することで、全ての第ｙターンにおいて電気ヒータ２での出力が得られ、これが最大出力となる。また、１００％未満の給電率（例えば５０％）で運転される場合、図３に示すように、各第ｙターンにおいて、給電率に対応するデューティ比（図３の例では１／２）となるように、出力ポート７ｘから制御信号が出力される。
【０００９】
このような床暖房システムにあっては、最大出力時でも、時間長においてＴ／ｎＴの割合（これをαとする）でしか給電することができず、起動時において出力不足となり、速く暖まらず使用者が不快に感じてしまう惧れがあった。そこで、第ｘ組第ｙ番のブロック１の暖房運転を起動するため、図４に示すように、この電気ヒータ２への給電を開始する場合、起動運転中（所定の温度になるまで、あるいは、所定時間等）は第ｙターンの時間幅（すなわち、タイミングＯＮ信号を出力する時間）を前記所定時間Ｔから所定時間Ｔ１（＝Ｔ＋ΔＴ、但しΔＴ＞０）に変更することが考えられた。これにより、時間長においてＴ１／（（ｎ−１）Ｔ＋Ｔ１）の割合（これをβとする）で出力が可能となり、β＞αであるため、従前より出力が増大するものである。
【００１０】
しかしながら、起動運転を行うブロック１が複数組（ｋ組とする）に亘る場合、起動運転を行うブロック１への出力は、時間長においてＴ１／（（ｎ−ｋ）Ｔ＋ｋＴ１）の割合（これをγとする）となり、β＞γとなるため、一組のブロック１のみを起動運転する場合よりも出力が低下してしまう。
【００１１】
暖房運転が行われる場合、図５に示すように、複数のブロック１に跨って一人または複数人が位置することが多い。そして、床暖房システムの使用条件、すなわち、設置される部屋の状況（部屋の広さ、家具や出入り口や窓の位置等）や、使用する人の体形、好み、使用パターン等により、各ブロック１に位置する確率もブロック１毎に異なるものである。これを踏まえ、起動運転において、起動運転の対象とする組をできるだけ少なくできるように、個々の使用条件に応じて設定可能な床暖房システムが望まれるものであった。
【００１２】
本発明は上記従来の問題点に鑑みて発明したものであって、その目的とするところは、起動時において、起動運転の対象とするブロックの出力をできるだけ確保し、速く暖まらず使用者が不快に感じてしまうのが抑制される床暖房システムを提供することを課題とするものである。
【課題を解決するための手段】
【００１３】
上記課題を解決するために、本発明は、以下のような構成とする。
【００１４】
床の暖房領域が複数のブロックに分割され、前記各ブロックに、電気ヒータと、人の有無により二端子間の導通の有無が生じることで人の有無を検知する人検知手段とが設けられ、前記ブロック毎に人の検知に基いて暖房を行うように制御部により制御される床暖房システムであって、前記暖房領域はｍ行ｎ列のｍ×ｎ個の前記ブロックに分割され、ｍ×ｎ個の前記ブロックはそれぞれ、一組ｎ個の第１組〜第ｍ組のいずれかの組に分類されるとともに各組において第１番〜第ｎ番のいずれかに重複なく設定され、
第ｘ組（但し、ｘ＝１、２、・・・、ｍ）の前記ブロック用の給電のＯＮ／ＯＦＦを切り替える給電ＯＮ／ＯＦＦ切替部をｍ個備え、電源が、第ｘ組の前記ブロック用の前記給電ＯＮ／ＯＦＦ切替部を介して、第ｘ組の前記ブロックの前記電気ヒータにそれぞれ給電線により接続され、前記各給電線は、途中に前記各給電線の導通のＯＮ／ＯＦＦを切り替えるＯＮ／ＯＦＦ切替部を備え、前記制御部は、制御プログラムを実行するための中央演算装置と、入出力インターフェースと、第ｘ組の前記ブロックに設けられた前記人検知手段からの人検知信号の入力ポートｍ個と、第ｘ組の前記ブロック用の前記給電ＯＮ／ＯＦＦ切替部への制御信号の出力ポートｍ個と、第ｙ番（但し、ｙ＝１、２、・・・、ｎ）の前記ブロック用のタイミング信号の出力ポートｎ個と、を備え、第ｘ組第ｙ番の前記ブロックの前記人検知手段の前記二端子のうちの一方の端子と、第ｙ番の前記ブロック用のタイミング信号の前記出力ポートとが信号線で接続され、前記二端子のうちの他方の端子と、第ｘ組の前記ブロックに設けられた前記人検知手段からの人検知信号の前記入力ポートとが信号線で接続され、第ｘ組の前記ブロック用の前記給電ＯＮ／ＯＦＦ切替部の入力部と、第ｘ組の前記ブロック用の前記制御信号の前記出力ポートとが信号線で接続され、第ｘ組第ｙ番の前記ブロックの前記電気ヒータへの前記給電線に設けられた前記ＯＮ／ＯＦＦ切替部への入力部と、第ｙ番の前記ブロック用のタイミング信号の前記出力ポートとが信号線で接続され、時間０から所定時間Ｔまでの間を、前記制御部が前記第１番の前記ブロック用の前記タイミング信号の前記出力ポートにタイミングＯＮ信号を送信し他の前記タイミング信号の前記出力ポートにタイミングＯＦＦ信号を送信する第１ターンとし、以降、時間（ｙ−１）Ｔ〜ｙＴを、前記制御部が前記第ｘ番の前記ブロック用の前記タイミング信号の前記出力ポートに前記タイミングＯＮ信号を送信し他の前記タイミング信号の前記出力ポートに前記タイミングＯＦＦ信号を送信する第ｙターンとし、第ｎターンの後、第１ターンに戻り、これを繰り返すものとし、前記制御部は、第ｙ番の前記ブロックの前記電気ヒータに給電を開始する場合、第ｙターンの時間幅を前記所定時間Ｔから所定時間Ｔ１（但し、Ｔ１＞Ｔ）に変更するものであり、前記各ブロックを第１組〜第ｍ組の任意の組の第１番〜第ｎ番の任意の番に設定可能とする設定手段が設けられるすることを特徴とする。
【発明の効果】
【００１５】
本発明の床暖房システムにあっては、起動時において、起動運転の対象とするブロックの出力をできるだけ確保し、速く暖まらず使用者が不快に感じてしまうのが抑制される。
【図面の簡単な説明】
【００１６】
【図１】床暖房システムの概略構成図である。
【図２】同上における最大出力での暖房運転を説明するタイムチャートである。
【図３】同上における給電率５０％での暖房運転を説明するタイムチャートである。
【図４】同上における起動運転を説明するタイムチャートである。
【図５】従来の床暖房システムの概略斜視図である。
【図６】同上の概略構成図である。
【図７】同上におけるマトリックス制御を行う床暖房システムの概略構成図である。
【発明を実施するための形態】
【００１７】
以下、本発明を添付図面に示す実施形態に基いて説明する。本発明の床暖房システムは、図１に示すように、床の暖房領域が複数のブロック１に分割され、制御部によりブロック１毎の暖房運転が可能となるものである。
【００１８】
床に設けられる暖房部は、図示しないが、床上に敷設されるカーペットや、躯体の床上に設置されて更に上に床仕上げ材が敷設される床暖房パネル等で構成され、特に限定されない。暖房部は、全体で一体に形成され、これが複数の領域に区画されて各領域がブロック１となってもよいし、各ブロック１毎に別体として形成されてもよい。
【００１９】
各ブロック１には、電気ヒータ２と、該ブロック１に人が居るか否かを検知する人検知手段３が設けられる。電気ヒータ２は、ニクロム線やＰＴＣヒータ等が好適に用いられるが、特に限定されない。電気ヒータ２は、所定の電圧が印加されて所定の出力（Ｗ）が得られるもので、出力が調整される場合には、ＯＮ（給電）／ＯＦＦ（非給電）の時間が切り替えられることで行われる。床暖房システムは、電気ヒータ２に所定の電圧が印加されるための電源４、給電ＯＮ／ＯＦＦ切替部５と、を備えている。電源４は、商用電源等の電力供給源の電圧を所定の電圧に変換するもので、制御ボックスに設けられるが、電力供給源から所定の電圧が得られる場合には、特に変圧しなくてもよい。給電ＯＮ／ＯＦＦ切替部５は、各ブロック１に設けられる電気ヒータ２への給電のＯＮ／ＯＦＦを切り替えるもので、電磁リレー（機械式リレー）や半導体リレー等で構成され、特に限定されない。
【００２０】
人検知手段３は、暖房部上に人が載っていない時に接点が離間し、暖房部上に人が載るとその重量で接点が接触するスイッチ等が好適に用いられる。人検知手段３は、前記スイッチに限定されず、赤外線センサ等の他の様々な検知手段でもよく、人が「有」の時に二端子３１、３２間の導通が「有」となり、人が「無」の時に二端子３１、３２間の導通が「無」となるものであればよい。スイッチ以外の検知手段の場合には、暖房部から離れて設けられてもよい。
【００２１】
制御部は、中央演算装置（ＣＰＵ：Central Processing Unit）と、記憶部と、入出力インターフェースおよび入力ポート／出力ポート、を備え、制御ボックスに収容される。記憶部は、制御プログラムが記憶されたＲＯＭ（Read Only Memory）等の不揮発性記憶部と、データを一時記憶させるＲＡＭ（Random Access Memory）等の一時記憶部とで構成される。中央演算装置は、制御プログラムを実行し、入力ポートから入力された情報に基づいて、出力ポートから制御情報を出力して制御を行う。入出力インターフェースは、Ａ／Ｄ変換およびＤ／Ａ変換機能を含み、中央演算装置が処理する信号と、制御部外の機器と中央演算装置との間で送受信される信号とを相互に変換させる。なお、不揮発性記憶部や一時記憶部は、ＲＯＭやＲＡＭに限定されず、ＥＥＰＲＯＭ（Electronically Erasable ProgrammableRead-Only Memory）やＨＤＤ（Hard Disc Drive）や他の媒体が用いられてもよく、限定されない。
【００２２】
また床暖房システムは、図示しないが、設定操作部を備え、制御部は、設定操作用入力ポートを備えている。使用者が設定操作部で設定した設定情報が設定操作用入力ポートより制御部に入力され、設定情報の設定が反映されるように制御部は暖房運転を行う。
【００２３】
以下、床暖房システムにおいて制御部が行うマトリックス制御について説明する。
【００２４】
暖房領域は、ｍ行ｎ列のｍ×ｎ個のブロック１に分割される。各ブロック１は、制御上、一組ｎ個の第１組〜第ｍ組のいずれかの組に分類され、各組において更に第１番〜第ｎ番のいずれかに重複なく分類される。初期設定では、第ｍ行のブロック１が第ｍ組に分類され、第ｎ列のブロック１が第ｎ番に分類される。
【００２５】
各組毎に、第ｘ組のブロック１用の給電ＯＮ／ＯＦＦ切替部５がｍ個設けられる。
【００２６】
制御部は、入力ポートとして、第ｘ組（ｘ＝１、２、・・・、ｍ）のブロック１に設けられた人検知手段３からの人検知信号の入力ポート６ｘをｍ個備える。制御部は、出力ポートとして、第ｘ組のブロック１用の給電ＯＮ／ＯＦＦ切替部５への制御信号の出力ポート７ｘをｍ個、第ｙ番（ｙ＝１、２、・・・、ｎ）のブロック１用のタイミング信号の出力ポート８ｙをｎ個備える。
【００２７】
また、各ブロック１を、第１組〜第ｍ組の任意の組の第１番〜第ｎ番の任意の番に設定可能とする設定手段（後述する）が設けられる。
【００２８】
電源４が、第ｘ組のブロック１用の給電ＯＮ／ＯＦＦ切替部５を介して、第ｘ組第１番〜第ｘ組第ｎ番のブロック１の電気ヒータ２にそれぞれ給電線９０により接続される。各給電線９０には、途中に、該給電線９０のＯＮ（導通）／ＯＦＦ（非導通）を切り替えるＯＮ／ＯＦＦ切替部９が設けられている。ＯＮ／ＯＦＦ切替部９は、各ブロック１に設けられる電気ヒータ２への給電のＯＮとＯＦＦとを切り替えるもので、電磁リレー（機械式リレー）や半導体リレー等で構成され、特に限定されない。ＯＮ／ＯＦＦ切替部９は、各ブロック１に設けられてもよいし、制御ボックス等のブロック１外に設けられてもよい。
【００２９】
また、第ｘ組第ｙ番のブロック１の人検知手段３の二端子３１、３２のうちの一方の端子３１と、第ｙ番のブロック１用のタイミング信号の出力ポート８ｙとが信号線８０ａで接続され、前記他方の端子３２と、第ｘ組のブロック１に設けられた人検知手段３からの人検知信号の入力ポート６ｘとが信号線６０で接続される。
【００３０】
また、第ｘ組のブロック１用の給電ＯＮ／ＯＦＦ切替部５の入力部と、第ｘ組のブロック１用の給電ＯＮ／ＯＦＦ切替部５への制御信号の出力ポート７ｘとが信号線７０で接続される。
【００３１】
また、第ｘ組第ｙ番のブロック１の電気ヒータ２への給電線９０に設けられたＯＮ／ＯＦＦ切替部９への入力部と、第ｙ番のブロック１用のタイミング信号の出力ポート８ｙとが信号線８０ｂで接続される。
【００３２】
本実施形態では、図１に示すように、人検知信号の入力ポート６と制御信号の出力ポート７とタイミング信号の出力ポート８のそれぞれに、端子ボックス６００、７００、８００がそれぞれ設けられて、上記設定手段が構成されている。
【００３３】
各端子ボックス６００、７００、８００は、各ポート６、７、８の第１組〜第ｍ組の任意の組の第１番〜第ｎ番の任意の番に対応するポート側端子６０１、７０１、８０１と、各ブロック１の第１行〜第ｍ行の任意の行の第１列〜第ｎ列の任意の列に対応するブロック側端子６０２、７０２、８０２と、を備える。更に、いずれかのポート側端子６０１、７０１、８０１と、いずれかのブロック側端子６０２、７０２、８０２との間に、接続線６０３、７０３、８０３が接続される。そして、接続線６０３、７０３、８０３のポート側端子６０１、７０１、８０１とブロック側端子６０２、７０２、８０２への接続の変更が容易となっている。これにあたっては、接続線６０３、７０３、８０３を直接繋ぎ変えるほか、スイッチで切り替えるようにしてもよい。また更に、設定手段としてこのような端子ボックス６００、７００、８００を備えず、接続線等の接続の変更を伴わず、上記設定操作部や他の操作部を操作して、制御プログラム上で変更するものでもよい。
【００３４】
次に、動作について説明する。マトリックス制御の基本的な説明については背景技術の欄で説明した通りであり、重複する説明は主に省略する。時間０（便宜上、基準とする時間）から所定時間Ｔまでの間を第１ターンとし、以降、時間（ｙ−１）Ｔ〜ｙＴを第ｙターンとし、第ｎターンの後、第１ターンに戻り、これを繰り返す。なお、所定時間Ｔは例えば３秒、５秒、１０秒程度が想定されるが、特に限定されず、概ね３秒よりは長い時間であるとする。制御部は、第ｙターンの開始から終了までの間、第ｙ番のブロック１用のタイミング信号の出力ポート８ｙにタイミングＯＮ信号を送信する。
【００３５】
上記マトリックス制御においては、第ｘ組のブロック１は、第ｙターン時のみ給電が可能で、他のターン時には給電は不可能である。このため、図２に示すように、第ｙターン時の全長において給電する場合の出力が最大出力となる。そして、電気ヒータ２の給電率（すなわち各ブロック１における最大出力に対する実際に行おうとする出力の率）１００％未満で暖房運転が行われる場合、給電ＯＮ／ＯＦＦ切替部５により、第ｙターン中に電気ヒータ２のＯＮ／ＯＦＦ制御を行う。これには、図３に示すように、第ｘ組のブロック１用の給電ＯＮ／ＯＦＦ切替部５への制御信号の出力ポート７ｘからの制御信号の出力を給電率に応じたデューティ比（図３の例においては１／２）にてデューティ制御する。デューティ比が調整されることで、電気ヒータ２への給電率が調整される。給電率は、使用者が上記設定操作部を操作することで、０〜１００％の間で、連続的にまたは段階的に任意に設定することができる。
【００３６】
この床暖房システムにおいては、第ｙ番のブロック１の電気ヒータ２に給電を開始する場合、第ｙターンの時間幅を所定時間Ｔから時間Ｔ１（＝Ｔ＋ΔＴ、但しΔＴ＞０）に変更するものである。この給電の開始から所定条件、すなわち所定時間の経過や、設定温度に対して所定の温度に達する等の条件を満たすまでを起動運転とし、定常運転と異なるモードで運転される。定常運転時には、最大出力（使用者の設定上の給電率１００％）時における、時間長における実際の給電時間の割合は、図２に示すように、Ｔ／ｎＴ＝１／ｎであり、これをαとする。
【００３７】
床暖房システムにおいては、一般に複数のブロック１に跨って人が位置することがよくある。この状態で起動運転が行われる場合で、人が位置する全てのブロック１が第１番〜第ｎ番のうちの同じ番（第ｙ番とする）に属する場合には、図４に示すように、人が位置するブロック１への実際の給電時間の割合は、Ｔ１／（（ｎ−１）Ｔ＋Ｔ１）であり、これをβとする。β＝（Ｔ＋ΔＴ）／（（ｎ−１）Ｔ＋Ｔ＋ΔＴ）＝（Ｔ＋ΔＴ）／（ｎＴ＋ΔＴ）＞（Ｔ＋ΔＴ）／（ｎＴ＋ｎΔＴ）＝１／ｎ＝αであり、定常運転時よりも実際の給電時間の割合が大きくなり、出力が増大する。
【００３８】
また、起動運転時に、人が位置する全てのブロック１が第１番〜第ｎ番のうちの複数（ｋとする）の番に属する場合には、人が位置するブロック１への実際の給電時間の割合は、Ｔ１／（（ｎ−ｋ）Ｔ＋ｋＴ１）であり、これをγとする。γ＝（Ｔ＋ΔＴ）／（（ｎ−ｋ）Ｔ＋ｋ（Ｔ＋ΔＴ））＝（Ｔ＋ΔＴ）／（ｎＴ＋ｋΔＴ）＞（Ｔ＋ΔＴ）／（ｎＴ＋ｎΔＴ）＝１／ｎ＝αであり、定常運転時よりも実際の給電時間の割合が大きい。しかし、γ＝（Ｔ＋ΔＴ）／（ｎＴ＋ｋΔＴ）＜（Ｔ＋ΔＴ）／（ｎＴ＋ΔＴ）＝βであり、人が位置する全てのブロック１が同じ番に属する場合よりも実際の給電時間の割合が小さくなってしまう。人が位置するブロック１の番数が少ない程、実際の給電時間の割合が大きくなる。
【００３９】
上記本発明の床暖房システムは、上記設定手段が設けられているため、使用者は、よく使用する複数のブロック１を少ない番（できれば同じ番）に設定しておくことで、起動運転時の出力をできるだけ大きくすることが可能となる。
【００４０】
これにより、起動運転時において、起動運転の対象とするブロック１の出力をできるだけ大きくすることができ、速く暖まらず使用者が不快感を感じるのが抑制される。
【符号の説明】
【００４１】
１  ブロック
２  電気ヒータ
３  人検知手段
４  電源
５  給電ＯＮ／ＯＦＦ切替部
６  人検知信号入力ポート
７  制御信号出力ポート
８  タイミング信号出力ポート
９  ＯＮ／ＯＦＦ切替部
【図１】
2014020614.tif 000003
【図２】
2014020614.tif 000004
【図３】
2014020614.tif 000005
【図４】
2014020614.tif 000006
【図５】
2014020614.tif 000007
【図６】
2014020614.tif 000008
【図７】
2014020614.tif 000009